(57)【特許請求の範囲】
【請求項１】
複数のＬＥＤの照明出力を較正する方法であって：
複数の距離センサーのそれぞれに対する距離値を決定するステップであり、前記距離センサーのそれぞれは、複数のＬＥＤのうち少なくとも一つのＬＥＤと関連付けられているステップと；
空間のレイアウトを決定するため複数の前記距離値を比較して、複数の前記距離値のそれぞれを第１の分布と第２の分布のうち少なくとも一つにグループ化するステップであり、前記第１の分布の距離値は前記第２の分布の距離値よりも大きな距離を示しているステップと；
フロア照明特性に従って前記ＬＥＤの第１のＬＥＤグループの照明出力特性を設定するステップであり、前記設定は、前記第１の分布における距離値を有する距離センサーと関連付けられている前記第１のＬＥＤグループに基づいているステップと；
作業場所照明特性に従って前記ＬＥＤの第２のＬＥＤグループの照明出力特性を設定するステップであり、前記設定は、前記第２の分布における距離値を有する距離センサーと関連付けられている前記第２のＬＥＤグループに基づいているステップと；
を含む、
方法。
【請求項２】
前記方法は、さらに、
複数の前記距離値のそれぞれを第３の分布にグループ化するステップであり、前記第２の分布の距離値は前記第３の分布の距離値よりも大きな距離を示しているステップと；
背の高い構造物の特性に従って前記ＬＥＤの第３のＬＥＤグループの照明出力特性を設定するステップであり、前記設定は、前記第３の分布における距離値を有する距離センサーと関連付けられている前記第３のＬＥＤグループに基づいているステップと；
を含む、請求項１に記載の方法。
【請求項３】
前記方法は、さらに、
少なくとも一つの環境照明レベルを判断するステップと、を含み、
前記第１のＬＥＤグループ、前記第２のＬＥＤグループ、前記第３のＬＥＤグループ、それぞれの前記照明出力特性は前記環境照明レベルに依存している、
請求項２に記載の方法。
【請求項４】
前記第１のＬＥＤグループの前記照明出力特性は、前記第３のＬＥＤグループの前記照明出力特性よりも高い照明出力輝度を含んでいる、
請求項２に記載の方法。
【請求項５】
前記方法は、さらに、
前記第３の分布における距離値を有する前記距離センサーと地理的に隣接する前記第１のＬＥＤグループの少なくとも一つのＬＥＤの出力輝度を、前記第１のＬＥＤグループの他のＬＥＤより、増加させるステップと、
を含む、請求項２に記載の方法。
【請求項６】
前記第２のＬＥＤグループの前記照明出力特性は、前記第１のＬＥＤグループの前記照明出力特性よりも高い照明出力輝度を含んでいる、
請求項１に記載の方法。
【請求項７】
前記方法は、さらに、
前記第１の分布における距離値を有する距離センサーのいずれかが経路に向けられているか否かを判断するために、前記第１の分布から実質的に外れている複数の距離に対して、前記第１の分布における距離値を有する距離センサーを時間期間にわたりモニタリングするステップと、
を含む、請求項１に記載の方法。
【請求項８】
前記第１のＬＥＤグループのそれぞれのＬＥＤの照明出力特性は、前記それぞれのＬＥＤが、経路に向けられていると判断された前記距離センサーの一つと関連付けられているか否かの関数として設定される、
請求項７に記載の方法。
【請求項９】
経路に向けられていると判断された前記距離センサーの一つと関連付けられている前記第１のＬＥＤグループのそれぞれのＬＥＤの照明出力特性は、経路に向けられていると判断されていない前記距離センサーの一つと関連付けられている前記第１のＬＥＤグループのそれぞれのＬＥＤの照明出力特性よりも大きい輝度である、
請求項７に記載の方法。
【請求項１０】
前記方法は、さらに、
前記第１の分布における距離値を有する距離センサーのいずれかが高い活動領域に向けられているか否かを判断するために、前記第１の分布から実質的に外れている複数の距離に対して、前記第１の分布における距離値を有する距離センサーを時間期間にわたりモニタリングするステップと、
を含む、請求項１に記載の方法。
【請求項１１】
前記方法は、さらに、
前記第２の分布における距離値を有する距離センサーのいずれかが高い活動領域に向けられているか否かを判断するために、前記第２の分布から実質的に外れている複数の距離に対して、前記第２の分布における距離値を有する距離センサーを時間期間にわたりモニタリングするステップと、
を含む、請求項１に記載の方法。
【請求項１２】
前記第２のＬＥＤグループのそれぞれのＬＥＤの照明出力特性は、前記それぞれのＬＥＤが、前記高い活動領域経路に近く隣接しているか否かの関数として設定される、
請求項１１に記載の方法。
【請求項１３】
前記方法は、さらに、
多数の実質的な距離値の偏差を得るように、前記距離センサーのうち少なくとも一つのセンサーを時間期間にわたりモニタリングするステップを含み、
前記少なくとも一つのセンサーに対応する少なくとも一つのＬＥＤの照明出力特性を設定することは、前記実質的な距離値の偏差の頻度および前記実質的な距離値の偏差の値のうち少なくとも一つに基づいている、
請求項１１に記載の方法。
【請求項１４】
複数のＬＥＤの照明出力を較正する照明コンフィグレーション装置であって：当該照明コンフィグレーション装置は、
それぞれの距離値を決定する複数の距離センサーであって、前記距離センサーのそれぞれは、複数のＬＥＤのうち少なくとも一つのＬＥＤと関連付けられている前記複数の距離センサーと；
空間のレイアウトを決定するため複数の前記距離値を比較して、複数の前記距離値のそれぞれを第１の分布と第２の分布のうち少なくとも一つにグループ化するコントローラとを含み、
前記第１の分布の距離値は前記第２の分布の距離値よりも大きな距離を示し、
前記コントローラは、
フロア照明特性に従って前記ＬＥＤの第１のＬＥＤグループの照明出力特性を設定し、前記設定は、前記第１の分布における距離値を有する距離センサーと関連付けられている前記第１のＬＥＤグループに基づいている設定であり、
作業場所照明特性に従って前記ＬＥＤの第２のＬＥＤグループの照明出力特性を設定し、前記設定は、前記第２の分布における距離値を有する距離センサーと関連付けられている前記第２のＬＥＤグループに基づいている設定である、
照明コンフィグレーション装置。
【請求項１５】
前記コントローラは、さらに、
前記第２の分布の距離値が第３の分布の距離値よりも大きな距離を示すような複数の距離値のそれぞれを第３の分布にグループ化し、
背の高い構造物の特性に従って前記ＬＥＤの第３のＬＥＤグループの照明出力特性を設定し、前記設定は、前記第３の分布における距離値を有する距離センサーと関連付けられている前記第３のＬＥＤグループに基づいている、請求項１４に記載の照明コンフィグレーション装置。
【請求項１６】
前記コントローラは、さらに、
少なくとも一つの環境照明レベルを判断し、
前記第１のＬＥＤグループ、前記第２のＬＥＤグループ、前記第３のＬＥＤグループ、それぞれの前記照明出力特性は前記環境照明レベルに依存している、請求項１５に記載の照明コンフィグレーション装置。
【請求項１７】
前記コントローラは、さらに、
前記第１の分布における距離値を有する距離センサーのいずれかが経路に向けられているか否かを判断するために、前記第１の分布から実質的に外れている複数の距離に対して、前記第１の分布における距離値を有する距離センサーを時間期間にわたりモニタリングする、請求項１４に記載の照明コンフィグレーション装置。
【請求項１８】
前記コントローラは、さらに、
前記第２の分布における距離値を有する距離センサーのいずれかが高い活動領域に向けられているか否かを判断するために、前記第２の分布から実質的に外れている複数の距離に対して、前記第２の分布における距離値を有する距離センサーを時間期間にわたりモニタリングする、請求項１４に記載の照明コンフィグレーション装置。
【発明の詳細な説明】
【技術分野】
【０００１】
本発明は、一般的に、照明コンフィグレーション（ｌｉｇｈｔｉｎｇ  ｃｏｎｆｉｇｕｒａｔｉｏｎ）に関する。より特定的には、ここにおいて開示される種々の発明的な方法および装置は、複数の距離センサーを利用した照明コンフィグレーションに関する。
【背景技術】
【０００２】
デジタル照明技術、つまり、発光ダイオード（ＬＥＤ）といった、半導体光源に基づく照明、は、従来の蛍光ランプ、ＨＩＤ（高輝度放電）ランプ、および、白熱ランプに対する実行可能な代替品を提供する。ＬＥＤの機能的な利点と利益は、高いエネルギー変換率と光学効率、耐久性、低稼働費、その他多数である。最近のＬＥＤ技術における進歩は、多くのアプリケーションにおいて種々の照明効果を可能にする、効率がよく、堅牢なフルスペクトラム光源を提供してきた。これらの光源を具現しているいくつかの設備は、例えば、赤、緑、そして、青といった異なる色を生成することができる一つまたはそれ以上のＬＥＤを含む、照明モジュールと、同様に、種々の色および色が変化する照明効果を生成するためにＬＥＤの出力を独立してコントロールするためのプロセッサとを特色としている。
【０００３】
ＬＥＤを具現化している照明設備は、例えば、商業的環境といった、種々の環境において望ましいものである。現在、ＬＥＤ照明設備との組み合わせで商業的環境において利用されているセンサーのほとんどは、広い領域での関連データを取得するように設置されている。例えば、オフィスには、空間内に一つの存在センサーを有してよく、空間内のあらゆる場所での動きを検出し、検出された動きに応じて、空間内の全ての照明を点灯する。また、例えば、オフィスには、空間内に一つの環境光センサーを有してよく、環境光レベルを検出し、環境光レベルに応じて、空間内の全ての照明設備の照明出力輝度を調整する。そうしたセンサーは、照明設備の限定されたコントロールを可能にするが、初期コンフィグレーション、細かな調整、及び/又は、個々の照明設備及び/又は個々の光源の適合、を備えていない。
【０００４】
商業的環境における照明設備の初期コンフィグレーションは、しばしば、目標とする作業面の輝度および均一性のクライテリアに基づいて、照明の数および間隔と高さの比率を計算することによって達成される。こうした初期コンフィグレーションは、しばしば時間がかかるものであり、及び/又は、商業的空間の特定の特徴に適合されない。初期コンフィグレーションの微調整は、このように、しばしば時間がかかるものであり、及び/又は、商業的空間の特定の特徴に適切には適合されない。また、こうした初期コンフィグレーションは、オフィス空間のレイアウト及び/又は使用における変更に容易には適合できない。
【発明の概要】
【発明が解決しようとする課題】
【０００５】
従って、当技術分野においては、距離センサーを利用して、任意的に、所定の照明コンフィグレーション技術の一つまたはそれ以上の欠点を克服する照明コンフィグレーション装置および方法を提供する必要がある。
【課題を解決するための手段】
【０００６】
本発明開示は、照明コンフィグレーションのための発明的な方法および装置に関する。例えば、ここにおいて説明される照明コンフィグレーション方法および装置は、複数の距離センサーからの複数の読みを分析して、複数のＬＥＤの一つまたはそれ以上の出力特性を設定する。ＬＥＤの照明出力特性は、距離センサーからの読みの関数として設定される。
【０００７】
一般的に、一つの態様において、複数のＬＥＤの照明出力を較正する方法が提供される。本方法は、第１の距離センサーにおいて第１の距離を決定し、かつ、第２の距離センサーにおいて第２の距離を決定するステップと；第１の距離値を前記複数のＬＥＤのうち少なくとも第１のＬＥＤと関連付けるステップと；第２の距離値を前記複数のＬＥＤのうち少なくとも第２のＬＥＤと関連付けるステップと；前記第１のＬＥＤおよび前記第２のＬＥＤに近接した少なくとも一つの環境照明レベルを決定するステップと；前記第１の距離値および前記環境照明レベルの関数として前記第１のＬＥＤの第１の照明出力を設定するステップと；前記第２の距離値および前記環境照明レベルの関数として前記第２のＬＥＤの第２の照明出力を設定するステップと；を含む。
【０００８】
いくつかの実施例において、本方法は、さらに、前記第１の距離センサーが、経路および高い活動領域のうち少なくとも一つの上にあるか否かを判断するために、前記第１の距離値からの多数の実質的な偏差を得るように時間期間にわたり前記第１の距離センサーをモニタリングするステップと、を含む。こうした実施例のいくつかのバージョンにおいて、前記第１の照明出力は、前記第１の距離センサーが、前記経路および前記高い活動領域のうち少なくとも一つの上にあるか否かの関数として設定される。こうした実施例のいくつかのバージョンにおいて、前記第１の距離センサーが前記経路および前記高い活動領域のうち少なくとも一つに向けられていると判断された場合に、前記第１の照明出力は、前記第１の距離センサーが前記経路および前記高い活動領域のうち少なくとも一つに向けられてはいないと判断された場合の輝度よりも大きい輝度である。
【０００９】
いくつかの実施例において、前記方法は、さらに、前記第１の距離値からの多数の実質的な偏差を得るように時間期間にわたり前記第１の距離センサーをモニタリングするステップと、を含み、前記第１の照明出力を設定する前記ステップは、前記実質的な偏差の頻度および前記実質的な偏差の距離値のうち少なくとも一つの関数である。
【００１０】
いくつかの実施例において、前記第１の照明出力は、前記第１の距離値と前記第２の距離値との間の差異の関数として設定される。こうした実施例のいくつかのバージョンにおいて、前記第１の距離値が前記第２の距離値より顕著に小さいと判断された場合に、前記第１の照明出力は、前記第１の距離値が前記第２の距離値よりも顕著に大きいと判断された場合の輝度よりも小さい輝度である。こうした実施例のいくつかのバージョンにおいて、前記第１の距離値は、前記第１のＬＥＤだけに関連している。
【００１１】
一般的に、別の態様において、複数のＬＥＤの照明出力を較正する方法が適用される。本方法は、複数の距離センサーのそれぞれに対する最大距離を決定するステップであり、前記距離センサーのそれぞれは、複数のＬＥＤのうち少なくとも一つのＬＥＤと関連付けられているステップと；複数の前記最大距離のそれぞれを第１の分布と第２の分布のうち少なくとも一つにグループ化するステップであり、前記第１の分布は前記第２の分布よりも大きな距離を含んでいるステップと；フロア照明特性に従って前記ＬＥＤの第１のＬＥＤグループの照明出力特性を設定するステップであり、前記第１のＬＥＤグループは前記第１の分布において最大距離を有する距離センサーと関連付けられているステップと；作業場所照明特性に従って前記ＬＥＤの第２のＬＥＤグループの照明出力特性を設定するステップであり、前記第２のＬＥＤグループは前記第２の分布において最大距離を有する距離センサーと関連付けられているステップと；を含む。
【００１２】
いくつかの実施例において、前記方法は、さらに、複数の前記最大距離のそれぞれを第３の分布にグループ化するステップであり、前記第２の分布は前記第３の分布よりも大きな距離を含んでいるステップを含む。いくつかの実施例において、前記方法は、さらに、背の高い構造物の特性に従って前記ＬＥＤの第３のＬＥＤグループの照明出力特性を設定するステップであり、前記第３のＬＥＤグループは前記第３の分布において最大距離を有する距離センサーと関連付けられているステップを含む。こうした実施例のいくつかのバージョンにおいて、前記方法は、さらに、複数の前記最大距離のそれぞれを第３の分布にグループ化するステップであり、前記第２の分布は前記第３の分布よりも大きな距離を含んでいるステップと；背の高い構造物の特性に従って前記ＬＥＤの第３のＬＥＤグループの照明出力特性を設定するステップであり、前記第３のＬＥＤグループは前記第３の分布において最大距離を有する距離センサーと関連付けられているステップと；を含む。こうした実施例のいくつかのバージョンにおいて、前記第１のＬＥＤグループの前記照明出力特性は、前記第３のＬＥＤグループの前記照明出力特性よりも高い照明出力輝度を含んでいる。こうした実施例のいくつかのバージョンにおいて、前記方法は、さらに、前記第３の分布において最大距離を有する前記距離センサーと地理的に隣接する前記第１のＬＥＤグループの少なくとも一つのＬＥＤの出力輝度を、前記第１のＬＥＤグループの他のＬＥＤより、増加させるステップと、を含む。
【００１３】
いくつかの実施例において、前記第２のＬＥＤグループの前記照明出力特性は、前記第１のＬＥＤグループの前記照明出力特性よりも高い照明出力輝度を含んでいる。
【００１４】
いくつかの実施例において、前記方法は、さらに、前記第１の分布において最大距離を有する距離センサーのいずれかが経路に向けられているか否かを判断するために、前記第１の分布から実質的に外れている複数の距離に対して、前記第１の分布において最大距離を有する距離センサーを時間期間にわたりモニタリングするステップと、を含む。こうした実施例のいくつかのバージョンにおいて、前記第１のＬＥＤグループのそれぞれのＬＥＤの照明出力特性は、前記それぞれのＬＥＤが、経路に向けられていると判断された前記距離センサーの一つと関連付けられているか否かの関数として設定される。こうした実施例のいくつかのバージョンにおいて、経路に向けられていると判断された前記距離センサーの一つと関連付けられている前記第１のＬＥＤグループのそれぞれのＬＥＤの照明出力特性は、経路に向けられていると判断されていない前記距離センサーの一つと関連付けられている前記第１のＬＥＤグループのそれぞれのＬＥＤの照明出力特性よりも大きい輝度である。
【００１５】
いくつかの実施例において、前記方法は、さらに、前記第１の分布において最大距離を有する距離センサーのいずれかが高い活動領域に向けられているか否かを判断するために、前記第１の分布から実質的に外れている複数の距離に対して、前記第１の分布において最大距離を有する距離センサーを時間期間にわたりモニタリングするステップと、を含む。
【００１６】
いくつかの実施例において、前記方法は、さらに、前記第２の分布において最大距離を有する距離センサーのいずれかが高い活動領域に向けられているか否かを判断するために、前記第２の分布から実質的に外れている複数の距離に対して、前記第２の分布において最大距離を有する距離センサーを時間期間にわたりモニタリングするステップと、を含む。こうした実施例のいくつかのバージョンにおいて、前記第２のＬＥＤグループのそれぞれのＬＥＤの照明出力特性は、前記それぞれのＬＥＤが、前記高い活動領域経路に近く隣接しているか否かの関数として設定される。
【００１７】
本発明開示の目的のためにここにおいて使用されるように、用語「ＬＥＤ」は、あらゆる電気蛍光発光ダイオード、または、電気信号に応じて放射を生成することができる他のタイプのキャリア注入／ジャンクションベースのシステムを含んでいるものと理解されるべきである。従って、用語ＬＥＤは、これらに限定されるわけではないが、電流に応じて光を発する種々の半導体ベースの構造体、発光ポリマー、有機発光ダイオード（ＯＬＥＤ）、電気蛍光発光ストリップ（ｓｔｒｉｐ）、等を含んでいる。特に、用語ＬＥＤは、全てのタイプの発光ダイオード（半導体および有機発光ダイオードを含む）を参照するものであり、赤外スペクトラム、紫外スペクトラム、および、可視スペクトラム（一般的に、およそ４００ナノメートルからおよそ７００ナノメートルまでの放射波長を含んでいる）の様々な部分、の一つまたはそれ以上において放射を生成するように構成されている。ＬＥＤのいくつかの実施例は、これらに限定されるわけではないが、種々のタイプの、赤外ＬＥＤ、紫外ＬＥＤ，赤色ＬＥＤ，青色ＬＥＤ，緑色ＬＥＤ，黄色ＬＥＤ、アンバーＬＥＤ、オレンジＬＥＤ、および白色ＬＥＤ（以下にさらに説明される）を含んでいる。ＬＥＤは、所与のスペクトラム（例えば、狭バンド幅、広バンド幅）に対する種々のバンド幅（例えば、半値全幅またはＦＷＨＭ）、および、所与の一般的な色カテゴリーの中で種々の優勢な波長を有する放射を生成するように、構成及び/又はコントロールされる。
【００１８】
例えば、本質的に白色光（例えば、白色ＬＥＤ）を生成するように構成されたＬＥＤの一つの実施例は、それぞれが電気蛍光発光の異なるスペクトラムを発し、組み合わされて、本質的に白色光を形成する数多くのダイ（ｄｉｅ）を含んでいる。別の実施例において、白色ＬＥＤは、第１のスペクトラムを有する電気蛍光発光を異なる第２のスペクトラムに変換するりん光材料に関連する。この実施の一つの実施例において、比較的に短い波長と狭いバンド幅スペクトラムを有する電気蛍光発光は、りん光材料を「ポンプ（ｐｕｍｐ）」し、続いて、いくらか広いスペクトラムを有する、より長い波長の放射を発する。
【００１９】
用語ＬＥＤは、物理的及び/又は電気的なＬＥＤのパッケージタイプを限定するものではないことが理解されるべきである。例えば、上述のように、ＬＥＤは、それぞれに異なる放射スペクトラムを発するように構成された複数のダイ（例えば、個々にコントロール可能であっても、なくてもよい）を有する一つの発光デバイスを参照してよい。また、ＬＥＤは、ＬＥＤ（例えば、いくつかのタイプの白色ＬＥＤ）の必須部分として考えられるりん光体にも関連する。一般的に、用語ＬＥＤは、パッケージされたＬＥＤ，パッケージされていないＬＥＤ，表面実装ＬＥＤ、チップオンボードＬＥＤ、Ｔパッケージ実装ＬＥＤ、ラジアルパッケージＬＥＤ、パワーパッケージＬＥＤ、いくつかのタイプの箱詰め及び/又は光学エレメント（例えば、拡散レンズ）を含むＬＥＤ、等を参照してよい。
【００２０】
用語「光源（”ｌｉｇｈｔ  ｓｏｕｒｃｅ”）」は、種々の放射源のうちのあらゆる一つまたはそれ以上を参照するものとして理解されるべきである。放射源は、これらに限定されるわけではないが、以下のものを含んでいる。すなわち、ＬＥＤベース光源（上で定義されたＬＥＤを一つまたはそれ以上含む）、白熱光源(例えば、フィラメントランプ、ハロゲンランプ）、蛍光源、りん光源、高輝度放電ランプ（例えば、ナトリウム蒸気、水銀蒸気、および、メタルハライドランプ）、レーザー、他のタイプの電気蛍光発光源、火ルミネセンス光源（例えば、炎）、キャンドルルミネセンス光源（例えば、ガスマントル、カーボンアーク放射源）、フォトルミネセンス光源（例えば、ガス状の放射源）、電気的飽和を使用したカソードルミネセンス光源、ガルバノルミネセンス光源、クリスタルルミネセンス光源、キネルミネセンス光源、サーモルミネセンス光源、トライボルミネセンス光源、ソノルミネセンス光源、ラジオルミネセンス光源、および、電気蛍光発光ポリマー、である。
【００２１】
所与の光源は、可視スペクトラムの範囲内で、可視スペクトラムの範囲外で、または、その組み合わせにおいて、電磁気放射を生成するように構成されている。従って、用語「光（”ｌｉｇｈｔ”）」と「放射（”ｒａｄｉａｔｉｏｎ”）」は、ここにおいて交換可能に使用されている。加えて、光源は、必須のコンポーネントとして、一つまたはそれ以上のフィルター（例えば、カラーフィルター）、レンズ、または、他の光学コンポーネントを含んでよい。また、光源は、これらに限定されるわけではないが、表示、ディスプレイ、及び/又は、説明を含む、種々のアプリケーションのために構成され得ることが理解されるべきである。「光源」は、インテリアまたはエクステリア空間を効果的に照明するための十分な輝度を有する放射を生成するように特定的に構成されたものである。このコンテクスト（ｃｏｎｔｅｘｔ）において、「十分な輝度」は、環境照明を提供するために、空間または環境において生成される可視スペクトラムにおける十分な放射パワー（単位「ルーメン（”ｌｕｍｅｎ”）」が、放射パワーまたは「光束（”ｌｕｍｉｎｏｕｓ  ｆｌｕｘ”）」に関して、全方向における光源からの全ての照明出力を表すために、しばしば使用される）を参照するものである（つまり、光は、間接的に知覚されてよく、および、例えば、知覚される前に、種々の介在する表面の一つまたはそれ以上で全体または部分的に反射されてよい）。
【００２２】
用語「照明設備（”ｌｉｇｈｔｉｎｇ  ｆｉｘｔｕｒｅ”）」は、ここにおいて、特定のフォームファクター、アセンブリ、または、パッケージにおける一つまたはそれ以上の照明ユニットに係る実装または構成を参照するものである。用語「照明ユニット（”ｌｉｇｈｔｉｎｇ  ｕｎｉｔ”）」は、ここにおいて、同一または異なるタイプの一つまたはそれ以上の光源を含む装置を参照するものである。所与の照明ユニットは、種々の、光源のための搭載構成、筐体／ハウジング構成および形状、及び/又は、電気的および機械的接続構成のうちあらゆる一つを有してよい。加えて、所与の照明ユニットは、任意的に、光源のオペレーションに関する種々の他のコンポーネント（例えば、コントロール回路）に関連付けられてよい。「ＬＥＤベースの照明ユニット」は、上述のＬＥＤベースの光源を一つまたはそれ以上を、単独で又は他の非ＬＥＤベース光源との組み合わせで含んでいる照明ユニットを参照するものである。「マルチチャンネル（”ｍｕｌｔｉ−ｃｈａｎｎｅｌ”）」照明ユニットは、それぞれに異なる放射スペクトラムを生成するように構成された少なくとも２つの光源を含むＬＥＤベースまたは非ＬＥＤベースの照明ユニットを参照するものである。ここで、それぞれの異なる光源スペクトラムが、マルチチャンネル照明ユニットの「チャンネル」として参照されてよい。
【００２３】
用語「コントローラー」は、ここにおいて、一般的に、一つまたはそれ以上の光源のオペレーションに関する種々の装置を表すものである。コントローラーは、ここにおいて説明される種々の機能性を実行するために数多くの方法（例えば、専用のハードウェアを用いて、といったように）で実施され得る。「プロセッサ」は、一つまたはそれ以上のマイクロプロセッサを使用し、ここにおいて説明される種々の機能性を実行するように、ソフトウェア（例えば、マイクロコード）を使用してプログラムされている。コントローラーは、プロセッサを使用しても又はしなくても実施され得るものであり、また、いくつかの機能性を実行するための専用ハードウェアと他の機能性を実行するためのプロセッサ（例えば、一つまたはそれ以上のプログラムされたマイクロプログラムおよび関連する回路）との組み合わせとして実施されてもよい。本発明開示の種々の実施例において使用されるコントローラーコンポーネントの実施例は、これらに限定されるわけではないが、従来のマイクロプログラム、特定アプリケーション用集積回路（ＡＳＩＣ）、および、フィールドでプログラム可能なゲートウェイ（ＦＰＧＡ）を含んでいる。
【００２４】
種々の実施例において、プロセッサまたはコントローラーは、一つまたはそれ以上のストレージ媒体と関連付けされ得る（ストレージ媒体は、ここにおいて一般的に「メモリー」として参照されるものであり、例えば、ＲＡＭ、ＰＲＯＭ、ＥＰＲＯＭ、およびＥＥＰＲＯＭといった揮発性または不揮発性コンピューターメモリー、フロッピー（登録商標）ディスク、コンパクトディスク、光ディスク、磁気テープ、等である）。いくつかの実施例において、ストレージ媒体は、一つまたはそれ以上のプロセッサ及び/又はコンポーネント上で実行されると、ここにおいて説明される機能性の少なくともいくつかを実行する一つまたはそれ以上のプログラムを用いてエンコードされる。種々のストレージ媒体は、プロセッサまたはコントローラーの中に固定されるか、運搬可能であってよい。媒体上に保管された一つまたはそれ以上のプログラムがプロセッサまたはコントローラーにロードされ、ここにおいて説明される本発明に係る種々の態様が実施されるようにである。用語「プログラム」または「コンピュータープログラム」は、ここにおいて、一般的な意味で、一つまたはそれ以上のプロセッサまたはコントローラーをプログラムするために使用され得るあらゆるタイプのコンピューターコード（例えば、ソフトウェアまたはマイクロコード）を参照するように使用されている。
【００２５】
用語「アドレス可能（”ａｄｄｒｅｓｓａｂｌｅ”）」は、ここにおいて、自分自身を含む、複数のデバイスに向けた情報（例えば、データ）を受け取り、かつ、向けられた特定の情報に選択的に反応するように構成されているデバイスを参照するものである（デバイスは、例えば、一般的な光源、照明ユニットまたは設備、一つまたはそれ以上の光源または照明ユニットに関するコントローラーまたはプロセッサ、他の照明でない関連デバイス、等である）。用語「アドレス可能」は、しばしば、ネットワーク環境（または、「ネットワーク」、以下にさらに説明されるもの）に関連して使用される。ネットワーク環境では、複数のデバイスが、いくつかの通信媒体またはメディアを介して一緒に接続されている。
【００２６】
一つのネットワーク実施例においては、ネットワークに接続された一つまたはそれ以上のデバイスが、ネットワークに接続されている一つまたはそれ以上の他のデバイスに対するコントローラーとして働くことができる（例えば、マスター／スレーブ関係におけるもの）。別の実施例において、ネットワーク環境は、ネットワークに接続された一つまたはそれ以上のデバイスをコントロールするように構成された一つまたはそれ以上の専用コントローラーを含んでよい。一般的に、ネットワークに接続された複数のデバイスのそれぞれは、通信媒体またはメディア上に存在するデータにアクセスできる。しかしながら、所与のデバイスは、例えば、デバイスに割り当てられた一つまたはそれ以上の特定の識別子（例えば、「アドレス」）に基づいて、ネットワークと選択的にデータを交換する（つまり、そこからデータを受け取り、及び/又は、そこへデータを伝送する）ように構成されていることにおいて、「アドレス可能」である。
【００２７】
用語「ネットワーク」は、ここにおいて使用されるように、あらゆる２つまたはそれ以上のデバイス間、及び/又は、ネットワークに接続された複数のデバイスの中で、情報の運搬を促進する（例えば、デバイスコントロール、データストレージ、データ交換、等のため）２つまたはそれ以上のあらゆる相互接続を参照するものである。直ちに理解されるように、複数のデバイスの相互接続のために好適な種々のネットワークの実施例は、あらゆる種類のネットワークトポロジーを含んでよく、あらゆる種類の通信プロトコルを使用してよい。加えて、本発明開示に従った種々のネットワークにおいて、２つのデバイス間のあらゆる一つの接続は、２つのシステム間の専用接続、または、代替的に専用でない接続を表している。２つのデバイスに向けた情報を運搬することに加えて、そうした専用でない接続は、２つのデバイスのいずれかに向けたものであることを必ずしも要しない情報を運搬し得る（例えば、オープンネットワーク接続）。さらに、ネットワーク全体にわたる情報運搬を促進するために、ここにおいて説明されるデバイスの種々のネットワークは、一つまたはそれ以上の無線、有線／ケーブル、及び/又は、光ファイバーリンクを使用し得ることが、直ちに理解されるべきである。
【００２８】
上述のコンセプトと以降により詳細に説明される追加のコンセプトとの全ての組み合わせは（そうしたコンセプトが相互に矛盾するものではないとして）、ここにおいて開示される発明性のある技術的事項の一部であるとして考えられることが正しく理解されるべきである。特に、本発明開示の最後に登場する特許請求された技術的事項の全ての組み合わせは、ここにおいて開示された特許請求項のある技術的事項の一部であるとして考えられる。ここにおいて明示的に使用されている用語は、参照として包含されているあらゆる開示においても現れるものであるが、ここにおいて開示される所定のコンセプトと最も一貫性のある意味が与えられるべきことも正しく理解されるべきである。
【図面の簡単な説明】
【００２９】
図面において、類似の番号は、一般的に、異なるビュー全体にわたり同一の部品を参照するものである。また、図面は、必ずしも一定比率に縮小して描かれることを要さず、代わりに、本発明の主旨の説明が強調されている。
【図１】図１は、複数のＬＥＤと複数の距離センサーとを有する照明ネットワークの第１の実施例に係るビューを示している。
【図２Ａ】図２Ａは、部屋のレイアウトの上面図を示している。
【図２Ｂ】図２Ｂは、図２Ａの部屋のレイアウトの深さマップを示している。
【図３】図３は、少なくとも一つの測定された距離値の関数として、ＬＥＤの照明出力特性を設定する一実施例を模式的に示している。
【図４Ａ】図４Ａは、別の部屋のレイアウトの上面図を示している。
【図４Ｂ】図４Ｂは、時間期間にわたる図４Ａの部屋における一つの距離センサーからの値を示している。
【図４Ｃ】図４Ｃは、図４Ａの部屋における複数の距離センサーからの値に基づいて生成された図４Ａの部屋のマップを示している。
【図４Ｄ】図４Ｄは、図４Ａの部屋に対する照明輝度配置の目標を表す上面図を示している。
【発明を実施するための形態】
【００３０】
現在、ＬＥＤ照明設備と組み合わされた商業的環境において使用されているほとんどのセンサーは、大きな領域での関連データを取得するために設置されている。こうしたセンサーによって照明設備の限られたコントロールをすることができるが、初期コンフィグレーション、微調整、及び/又は、個々の照明設備及び/又は個々の光源の適合を提供するものではない。商業的環境における照明設備の初期コンフィグレーションは、しばしば、目標とする作業面の輝度および均一性のクライテリアに基づいて、照明の数および間隔と高さの比率を計算することによって達成される。こうした初期コンフィグレーションの微調整は、しばしば時間がかかるものであり、及び/又は、商業的空間の特定の特徴に適合されない。さらに、微調整、オフィス空間のレイアウト及び/又は使用における変更に対する適合は、同様に、しばしば時間がかかるものであり、及び/又は、商業的空間の特定の特徴に好適には適合されない。従って、出願人は、距離センサーを利用し、任意的に、所定の照明コンフィグレーション技術の一つまたはそれ以上の欠点を克服する照明コンフィグレーション装置および方法を提供することの必要性を認識してきた。
【００３１】
より一般的には、出願人は、複数の照明設備の照明出力特性を決定するために距離センサーを利用する照明コンフィグレーション装置および方法を提供することが有益であろうことを認識し、理解してきた。
【００３２】
上述の観点において、本発明に係る種々の実施例と具体例は、照明コンフィグレーションに向けられている。
【００３３】
以降の詳細な説明においては、説明目的のためであって限定するものではなく、請求された発明の完全な理解を提供するために、所定の詳細を開示している代表的な実施例が明らかにされる。しかしながら、本発明開示の恩恵を有してきた当業者に対しては、ここにおいて開示された所定の詳細から離れている本発明の教示に従った他の実施例が、添付の特許請求の範囲内に留まっていることが明らかであろう。さらに、良く知られた装置および方法の記載は、代表的な実施例の説明を不明瞭にしないために省略される。そうした方法および装置は、明らかに特許請求の範囲内にあるものである。例えば、ここにおいて開示されたアプローチの種々の実施例は、特に商業的環境のインテリアにおいて設置されるＬＥＤベースの照明ネットワークに適している。従って、説明目的のために、特許請求された発明は、そうした環境と併せて説明される。しかしながら、このアプローチに係る他のコンフィグレーションおよびアプリケーションは、特許請求された発明の範囲または主旨から逸脱するものではないと考えられる。
【００３４】
図１を参照すると、複数のＬＥＤ１１２と複数の距離センサー１１４とを有するＬＥＤベースの照明ネットワーク１００に係る第１の実施例が示されている。いくつかの実施例において、距離センサー１１４は、一つまたはそれ以上の赤外線センサー及び/又は超音波ベースのセンサーを含んでよい。ＬＥＤ１１２と距離センサー１１４は、少なくとも一つのコントローラー１５０と通信している。ＬＥＤ１１２と複数の距離センサー１１４は、一つまたはそれ以上の無線または有線の通信メディアを介してコントローラー１５０と通信し得る。ここにおいて説明されるように、コントローラー１５０は、距離センサー１１４からの値を分析して、それらの値の関数として一つまたはそれ以上のＬＥＤ１１２の出力特性を設定する。いくつかの実施例においては、コントローラー１５０と通信する環境照明センサー１１６もまた備えられてよく、加えて、環境照明センサー１１６によって提供される一つまたはそれ以上の環境照明の読みの関数として、コントローラー１５０はＬＥＤ１１２の照明出力特性を設定してよい。
【００３５】
ＬＥＤ１１２のそれぞれは、直接的または間接的に一つまたはそれ以上の距離センサー１１４に関連付けられている。例えば、いくつかの実施例において、一つまたはそれ以上のＬＥＤ１１２は、それぞれ、そうしたＬＥＤ１１２への距離が最も近い一つまたはそれ以上の距離センサー１１４のうちの一つと関連付けされ得る。また、例えば、いくつかの実施例において、一つまたはそれ以上のＬＥＤ１１２は、それぞれ、そうしたＬＥＤ１１２への距離が最も近い距離センサー１１４のうち最も近い２つと関連付けされてもよい。また、いくつかの実施例において、一つまたはそれ以上のＬＥＤ１１２の位置を知ることができ、一つまたはそれ以上の距離センサー１１４の位置も、また知ることができる。例えば、こうした実施例のいくつかのバージョンにおいて、ＬＥＤ１１２と距離センサー１１４の相対位置をお互いにマップするために、座標系が使用され得る。
【００３６】
図示された実施例においては、距離センサー１１４よりもＬＥＤ１１２の密度が高く、１６個の距離センサー１１４と４０個のＬＥＤ１１２が格子のような構成で備えられている。他の実施例においては、より高い及び/又はより低い距離センサー１１４に対するＬＥＤ１１２の比率が備えられてよい。図１の実施例のいくつかのバージョンにおいて、一つまたはそれ以上の距離センサー１１４は、一つまたはそれ以上のＬＥＤ１１２の照明出力領域よりも大きい検出領域を有し得る。つまり、距離センサー１１４の一つが所定の距離において一つまたはそれ以上の距離の読みを取得する領域は、その所定の距離においてＬＥＤ１１２の一つによって照明される領域よりも大きい。いくつかの実施例において、ＬＥＤ１１２と距離センサー１１４は、商業的環境の天井に設置される。例えば、いくつかの実施例において、ＬＥＤ１１２及び/又は距離センサー１１４は、天井のタイルの中に統合されてよい。また、例えば、いくつかの実施例において、ＬＥＤ１１２及び/又は距離センサー１１４は、天井に設置することができるシートのような照明設備の中に統合されてもよい。
【００３７】
図２Ａは、部屋のレイアウトの上面図を示している。部屋は、一般的なＬ字形状の机１０１を含んでいる。机は、明るい灰色シェーディングで図示されており、一つの壁の長さ方向に伸び、別の壁に沿って部分的に伸びている。部屋は、また、明るい灰色シェーディングで図示された直線のキャビネット１０２と、白色で図示されたフロア領域１０３とを含んでいる。フロア領域１０３が天井から一番離れており、机１１０は天井から２番目に離れており、そして、キャビネット１０２が天井から最も近い。ＬＥＤベースの照明ネットワーク１００といった、距離センサーを有するＬＥＤベースの照明ネットワークが、図２Ａの部屋の天井に設置されてよい。距離センサー１１４の一つまたはそれ以上の読取り可能な媒体に基づいた一つまたはそれ以上の距離値が、図２Ａの部屋のレイアウトを確認するためにコントローラー１５０に送付される。例えば、距離センサー１１４からの距離値は、部屋のレイアウトを確認するために地理的に配置されてよい。低解像度の図２Ｂの深さマップにおいて図示されるようにである。距離センサー１１４によって送信された一つまたはそれ以上の距離値は、測定された距離を直接的に表すデータ及び/又は測定された距離を間接的に表すデータを含んでよく、かつ、測定された距離を決定するためにコントローラー１５０によって分析されてよい。
【００３８】
深さマップ１０５および関連スケール１０６は、図２Ａの部屋のレイアウトの概観を表している。スケール１０６は、実質的に白色シェーディングによって２メートルの低い値を表し、実質的に黒色シェーディングによって５メートルの高い値を表しており、その中間の種々の値は、灰色シェーディングの種々のレベルによって表される。深さマップ１０５およびスケール１０６の調査は、キャビネット１０２の周りの領域が最も短い距離値を有し、フロア１０３の周りの領域が最も長い距離値を有し、机１０１の周りの領域は、フロア１０３からの値とキャビネット１０２からの値との間の距離値を有することを示している。図２Ａの深さマップ１０５は、距離センサー１１４のお互いの相対的な位置を知ること、および、それぞれの距離センサー１１４での距離値を取得すること、に基づいて生成され得る。深さマップの解像度は、距離センサー１１４の数量を増やすことによって増加し、または、距離センサー１１４の数量を減らすことによって減少する。深さマップ１０５は、ＬＥＤベースの照明ネットワーク１００に係る実施例を容易に説明するために図示されており、いくつかの実施例においては、任意的にコントローラー１５０によって作成されてよい。しかしながら、当業者であれば、本発明開示の恩恵を有してきており、代替の実施例においては、実際に深さマップを作成することなく一つまたはそれ以上のＬＥＤ１１２の照明出力特性の設定することにおいて使用するために、距離センサー１１４からの値が収集され、分析され得ることが認識され、理解されるであろう。例えば、いくつかの実施例において、距離センサーからの値は、コントローラーに関連するメモリーの中に保管される。距離値が直接的または間接的に収集され（例えば、距離センサーに対するＬＥＤの位置に基づいて）、ＬＥＤの照明出力特性が設定される。
【００３９】
コントローラー１５０は、距離センサーからの距離値を利用して、それぞれのＬＥＤ１１２の照明出力特性を設定する。例えば、コントローラー１５０は、キャビネット１０２に対応する最も短い距離値の上に在るＬＥＤ１１２に対して（例えば、一つまたはそれ以上の距離センサー１１４との直接的または間接的な関連によって判断されるように）、キャビネット１０２上には比較的低い照明出力輝度を提供するように指示する。また、例えば、コントローラー１５０は、机１０１に対応する中間レンジの距離値の上に在るＬＥＤ１１２に対して、所望の作業場所の照明に一致するように、机１０１の上には比較的高い照明出力輝度を提供するように指示する。また、例えば、コントローラー１５０は、フロア１３０に対応する最大の距離値の上に在るＬＥＤ１１２に対して、フロア１３０の上には比較的高いものと比較的低いものとの間の照明出力輝度を提供するように指示する。また、例えば、コントローラー１５０は、距離値に基づいて、一つまたはそれ以上のＬＥＤ１１２の出力色を設定する（例えば、キャビネット１０２の上面では暖色光が望ましいであろう）。
【００４０】
ここにおいて説明されたように、ＬＥＤ１１２それぞれの一つまたはそれ以上の照明出力特性は、ＬＥＤに近い方の検出された距離値と検出された距離値に対応する表面上での所望の照明レベルとの関数として、設定され得る。一つまたはそれ以上のＬＥＤ１１２の照明出力特性は、また、任意的に、一つまたはそれ以上の距離センサー１１４の隣り、または、他の場所（例えば、窓または他の光源から来る照明を含む全般の照明レベルを測定するため）に配置された一つまたはそれ以上の環境照明センサーからの読みに基づくものであってよい。ＬＥＤ１１２の照明出力の設定は、ＬＥＤベースの照明ネットワーク１００の命令の最中に行われてよい。モニター空間のレイアウトが変更された場合、及び/又は、リアルタイムにおけるものである。リアルタイムのコンフィグレーションにおいて、ＬＥＤ１１２の照明出力の設定は、家具、他のオブジェクト（例えば、マネキン）、及び/又は、モニター空間内の人々、の移動に応じて変更されてよい。
【００４１】
いくつかの実施例において、コントローラー１５０は、領域内の全ての距離センサー１１４からの値を処理し、かつ、領域内の全てのＬＥＤ１１２にの照明出力を指示する集中型コントローラーであってよい。しかしながら、他の実施例においては、ローカル処理を用いた分散型アプローチ（例えば、複数のコントローラーを用いて、それぞれが一つのＬＥＤまたは一つのＬＥＤクラスターをコントロールする）が望ましいこともある。分散型アプリケーションにおいて、一つの距離センサーからの読みがローカルコントローラーによって処理され、近くのＬＥＤまたはＬＥＤクラスターの出力を設定するために使用される。例えば、一つの距離センサーに係る距離値の変化が検出された場合、近くのＬＥＤまたはＬＥＤクラスターがローカルコントローラーによって所定の方法で設定され得る。任意的に、一方で、他のローカルコントローラー（例えば、地理的に隣接したコントローラー）との直接的及び/又は間接的な通信を維持している。例えば、いくつかの実施例において、距離値における変化が検出された場合、そのセンサーのローカルコントローラーは、他の距離センサーに関連するＬＥＤとは独立して、ＬＥＤに関連する照明出力を変更することができる。それぞれのローカルコントローラーは、ＬＥＤまたはＬＥＤクラスターの外側の他のＬＥＤと少なくとも部分的に独立して動作し得る。いくつかの実施例において、分散型アプローチは、ＬＥＤベース照明ネットワーク１００といった構成において実施されてよい（例えば、それぞれの距離センサー１１４はコントローラーとペアになっており、コントローラーは、その距離センサー１１４の周りの一つまたはそれ以上のＬＥＤ１１２をコントロールし得る）。いくつかの実施例において、距離センサーのＬＥＤへの比率が比較的に高い場合に（例えば、約２：１、または、約１：１の比率）、分散型アプローチが実施されてよい。いくつかの実施例において、それぞれの距離センサーの検出領域は、その距離センサーに関連するそれぞれのＬＥＤの照明出力領域と実質的に一致する。こうした実施例のいくつかのバージョンにおいて、それぞれの距離センサーの検出領域は、その距離センサーに関連するそれぞれのＬＥＤクラスターの照明出力を伴う場所と実質的に一致する。
【００４２】
一つまたはそれ以上のコントローラー（集中型及び/又は分散型）は、距離センサーからの測定された距離値をお互いに比較して、モニター空間のレイアウトを生成する。例えば、いくつかの実施例においては、全ての距離センサーからの距離値が比較される。また、例えば、いくつかの実施例において、距離センサーのグループからの距離値は、グループの中で比較されてもよい。複数のセンサーからの複数の距離値に係る比較を通じて、モニター空間の種々の特徴が確認され得る。例えば、部屋の高さは、大きな距離値の分布から導くことができる。また、例えば、距離値の中間値の分布から、作業場所のおそらくの位置を導くこともできる。また、例えば、小さな距離値の分布から本棚及び/又はカビネットワークの位置を導くこともできる。
【００４３】
図３は、少なくとも一つの測定された距離値の関数として、ＬＥＤの照明出力特性を設定する一実施例を模式的に示している。要求される照明レベルに対するプリセット照明値１８０がコントローラー１５０に提供される。要求される照明レベルに対するプリセット照明値１８０は、照明の表面上での所望の照明値であってよい。例えば、フロアが第１の照明値を有し、作業表面が第２の照明値を有し、高い位置の表面が第３の照明値を有し、及び/又は、壁の直前または高い位置の直前の領域が第４の照明値を有し得る。距離センサー１１４からの距離値１８１も、また、コントローラー１５０に提供される。
【００４４】
距離値１８１およびプリセット照明値１８０に基づいて、コントローラー１５０は、ＬＥＤ１１２において照明適合１８２を指示してよい。ＬＥＤ１１２の下の表面においてプリセット照明値を達成するように、それぞれのＬＥＤ１１２で照明出力値を設定するためである。例えば、フロアに対しては、第１の照明値を有することが望ましい。受け取った距離値１８１に基づいて、フロアに向けた照明出力を有するＬＥＤ１１２から、フロアがどれだけ離れているかが判断され得る。所望の第１の照明値およびＬＥＤ１１２とフロアとの間の距離に基づいて、コントローラー１５０は、フロア上で第１の照明値を実質的に達成するように、適切なＬＥＤ１１２の照明適合１８２を指示することができる。ＬＥＤ１１２は、任意的に、所望の照明出力が生成されていることを保証するために、自己較正的であってよい１８３。例えば、ＬＥＤ１１２のそれぞれは、生成された照明出力を測定する光学センサーとペアにされ、ＬＥＤ１１２の照明出力は、測定された照明出力が所望の照明出力と一致するように調整され得る。いくつかの実施例において、光学センサーは、複数のＬＥＤ１１２から生成された照明出力を測定してよい。そうした実施例のいくつかのバージョンにおいて、ＬＥＤ１１２は、照明の光源を識別する一意にコード化された識別子を生成し得る。そして、光学センサー及び/又はコントローラー１５０は、そうしたコード化された照明を検出し、それにより、どのＬＥＤ１１２が、光学センサーにおいて測定された照明レベルに貢献しているかを判断することができる。
【００４５】
モニタリング１８４は、最初の照明適合１８２と自己較正１８３および一つまたはそれ以上のモニター値の変化の際に一つまたはそれ以上のＬＥＤ１１２の照明出力特性が調整された後で、生じ得る。例えば、いくつかの実施例において、少なくとも一つの環境照明センサー１１６からの入力は、また、表面で要求される照明レベル１８０に対するプリセット照明値を達成するように（例えば、環境照明の増加に伴い、ＬＥＤ１１２から必要とされる照明出力輝度はより少なくなる）、ＬＥＤ１１２からの必要な照明出力を決定するために提供される。そうした環境照明値がモニターされ、ＬＥＤの照明出力は、少なくとも一つの閾値量によって変化する環境照明値に応じて適切に調整される。また、例えば、距離センサー１１４がモニターされ、一つまたはそれ以上のＬＥＤ１１２の照明出力が、少なくとも一つの閾値量によって変化する測定された距離値に応じて調整される（例えば、移動しているオブジェクト及び/又は人々に応じて）。
【００４６】
いくつかの実施例において、一つまたはそれ以上の距離センサー１１４に対する測定された距離値の分布が追跡されてよく、そうした距離センサー１１４に関連するＬＥＤ１１２の照明出力値が、そうした分布に基づいて任意的に変更されてよい。所与の距離センサー１１４に対して時間にわたり測定された距離値の分布を追跡することによって、所与の距離センサー１１４が、高使用領域に向けたものであるか、及び/又は、オブジェクト及び/又は人々が定期的に移動しており、従って照明出力が適合される経路に向けたものであるか否かを判断することができる。例えば、オブジェクト及び/又は人々が定期的に移動している経路においては、より大きな照明出力輝度が望ましい。また、例えば、人間の活動が高レベルである作業場所の領域においても、より大きな照明出力輝度が望ましい。また、例えば、人間の活動が低レベルである領域においては、より小さな照明出力輝度が望ましい。
【００４７】
図４Ａは、別の部屋のレイアウトの上面図を示している。部屋は、８個の分離した概ねＬ字形状の机２０１を有しており、第１のシェーディングで図示されている。部屋は、また、部屋の至る所に散在する５個のキャビネット２０２を含んでおり、第２のシェーディングで図示されている。フロア領域２０３は、また、第３のシェーディングで図示されており、部屋に入るドア２０４が模式的に描かれている。フロア領域２０３は、天井から一番遠くにあり、キャビネット２０２は、天井にいちばん近くにある。机２０１は、キャビネット２０２とフロア領域２０３との間の一つまたはそれ以上の距離のところにある。ＬＥＤベースの照明ネットワーク１００といった、距離センサーを有するＬＥＤベースの照明ネットワークは、図４Ａの部屋に設置されてよい。複数の距離センサーからの値が一つまたはそれ以上のコントローラー（集中型及び/又は分散型）に送付され、図４Ａの部屋のレイアウトが確認される。
【００４８】
一つまたはそれ以上のコントローラーも、また、部屋の中で高い人間活動の経路及び/又は領域がどこかを判断するために距離センサーからの値を使用する。例えば、図４Ｂは、図４Ａの部屋における一つの距離センサーからの値を時間にわたり図示している。図４Ｂの距離センサーは、ドア２０４から一つまたはそれ以上の机２０１への経路の一部の上および方向に配置されているであろう。距離センサーからの値は、しばらくの時間期間に複数の値Ａが天井とフロアとの間の距離に対応していることを示している。より短い距離である短時間の距離値Ｂが続き、天井と天井の下を歩いている人間との距離に対応している。そして、しばらくの時間期間に天井とフロアとの間の距離に対応する値Ｃが続いている。図４Ｂに示されたような値は、短い時間期間に人間または他のオブジェクトがセンサーの側を通り過ぎたことを示している。図４Ｂに示されたような一日中の十分な数量の値は、コントローラーに対して、図４Ｂの距離センサーが経路の上に在ることを示すことができる。従って、コントローラーは、図４Ｂの距離センサーに関連する一つまたはそれ以上のＬＥＤに（例えば、すぐ隣のもの及び/又はその距離センサーとペアのもの）、それらが向けられているフロア２０３の領域を照明させることができる。フロア２０３の経路でない場合にそうであろう値よりも高い輝度で照明するものである。
【００４９】
一つまたはそれ以上のコントローラーは、また、部屋の中で高い人間活動の領域がどこかを判断するために距離センサーからの値を使用する。例えば、一つの机２０１の使用される領域の直ぐ隣りのフロア２０３上に配置された距離センサーは、天井とフロアとの間の距離に対応する複数の読みをしばらくの時間期間（例えば、通行人がいない場合の時間）に示し、天井と天井の下の人間との間の距離に対応する、より短い距離である複数の読みを延長された時間期間（例えば、通行人が存在する場合の時間）に示すことができる。このような一日中の十分な数量の読みは、コントローラーに対して、そうした距離センサーが高い人間活動の領域の上にある在ることを示すことができる。従って、コントローラーは、その距離センサーに関連する一つまたはそれ以上のＬＥＤに（例えば、直ぐ隣りのもの及び/又はその距離センサーとペアのもの）、それらが向けられているフロア２０３の領域を照明させることができる。フロア２０３の高い人間活動ではないセクションである場合にそうであろう値よりも高い輝度で照明するものである。
【００５０】
図４Ｃは、図４Ａの部屋における複数の距離センサーからの値に基づいて生成された図４Ａの部屋のマップを示している。図４Ａのマップは、図４Ａの部屋の中の距離センサーが高解像度でることに基づいている。距離センサーからの値の分析に基づいて（例えば、保持されているセンサーからの最大値）、キャビネット２０２に対応する高い表面領域３０２が確認され、机２０１に対応する中間の表面領域３０１が確認され、そして、フロア２０３に対応する低い表面領域３０３が確認され得る。さらに、時間にわたる距離センサーからの複数の値の分析に基づいて、経路３０６が確認され（例えば、十分な量のセンサーからの短い期間の減少した距離値に基づくもの）、高い人間活動の領域３０７が確認され得る（例えば、十分な量のセンサーからの延長された期間の減少した距離値に基づくもの）。図４Ｃに示されるように、高い人間活動に係る７つの分離された領域３０７が存在し、それぞれの高い人間活動の領域３０７とドア２０４との間に経路３０６が存在している。
【００５１】
マップは、図４Ｃにおいて、ＬＥＤベースの照明ネットワークの一つの実施例について説明を容易にするために図示されたものであり、いくつかの実施例においては、任意的に、コントローラーによって創作され得る。ユーザーは、いくつかの実施例において、ユーザーインターフェイスを介して、こうしたマップを任意的に見ること及び/又は編集することができる。しかしながら、当業者であれば、本発明開示の恩恵を有してきており、代替の実施例においては、距離センサーからの値が、実際のマップを創作することなく、一つまたはそれ以上のＬＥＤの照明出力特性の設定において使用するために取集され、分析されてよいことを認識し、理解するであろう。例えば、いくつかの実施例において、距離センサーからの値は、コントローラーに関連するメモリーの中に保管されてよい。距離値は、直接的または間接的にＬＥＤと関連付けられ（例えば、距離センサーに対するＬＥＤの位置に基づいて）、ＬＥＤの照明出力特性を設定する。
【００５２】
図４Ｄは、図４Ａの部屋に対する照明輝度配置の目標を表す上面図４０５を示している。表示は、５つの異なるシェーディング４０６Ａ−Ｅを含んでいる。白色シェーディング４０６Ａは、図４Ａの部屋の占有作業場所表面上の高い輝度を示している（例えば、こうした表面は、非常に近くに高い人間活動３０７がある机２０２として特定される）。シェーディング４０６Ｂは、示された表面上で平均よりも高い輝度であるが、白色シェーディング４０６Ａよりも低い輝度を示している。シェーディング４０６Ｂは、壁の前および背の高い家具の前に備えられる（シェーディング４０６Ａが適切であるといった所定の場所を除く）。シェーディング４０６Ｃは、示された表面上での平均より上だが、シェーディング４０６Ｂよりも低い輝度を示している。シェーディング４０６Ｃは、高い人間活動を伴う場所の上に備えられる（例えば、高い人間活動の領域３０７および経路３０６に沿ったところ）。シェーディング４０６Ｄは、示された表面上での平均輝度より低く、シェーディング４０６Ｃよりも低い輝度を示している。シェーディング４０６Ｄは、活動が低い場所の上に備えられる。シェーディング４０６Ｅは、示された表面上での平均輝度より低く、シェーディング４０６Ｄよりも低い輝度を示している。シェーディング４０６Ｅは、キャビネット２０２の上面といった高い場所の上に備えられる。部屋の中でのＬＥＤの照明出力輝度は、図４Ｄの目標照明輝度分布に基づいて調整され得る。例えば、白色シェーディング４０６Ａを用いてマークされた表面に向けられたＬＥＤは、そうした表面上で高い輝度を生成するように設定されてよい。任意的に、距離センサーからのこうした表面に係る測定された距離（ＬＥＤとこうした表面との間の距離の指示を提供するもの）、及び/又は、部屋の中の環境照明レベル（環境照明だけによって生成された表面上の輝度の指示を提供するもの）を考慮しているものである。
【００５３】
所定の目標照明輝度分布目標は、図４Ｄにおいて、ＬＥＤベースの照明ネットワークの一つの実施例について説明を容易にするために図示されたものである。しかしながら、当業者であれば、本発明開示の恩恵を有してきており、代替の実施例においては、追加的及び/又は代替的な照明輝度分布パラメーターが使用され得ることを認識し、理解するであろう。例えば、いくつかの実施例において、５つ以上または５つ以下の分離した輝度分布が提供されてよい（例えば、異なる輝度が、壁の前の領域および背の高い家具の前の領域に対して使用されてよい）。また、例えば、追加的または代替的な照明出力特性（例えば、色、照明角度）が、追加的に、一つまたはそれ以上の輝度分布と関連付けされ得る。
【００５４】
ここにおいて、いくつかの本発明に係る実施例が記載され説明されてきたが、当業者であれば、機能を実行するため、及び／又は、結果及び／又はここにおいて説明された一つまたはそれ以上の利点を獲得するために、種々の他の手段及び／又は構成について容易に予想できるだろう。そして、こうした種々の他の手段及び／又は構成のそれぞれは、ここにおいて説明された実施例に係る本発明の範囲の中にあるものと考えられる。より一般的には、当業者であれば、ここにおいて説明された全てのパラメーター、寸法、材料、そして構成は典型的なものであり、実際のパラメーター、寸法、材料及び／又は構成は、特定のアプリケーションまたは本発明開示が使用されるアプリケーションに依存するものであることが、容易に理解されるだろう。当業者であれば、通常の試みをするだけで、ここにおいて説明された特定の本発明に係る実施例に対する多くの均等物を理解し、または確認することができるだろう。従って、前述の実施例は例示としてのみ記載されたものであり、添付の特許請求の範囲内にあり、かつ、それらの均等物であって、本発明は、特別に記載および請求されたのと異なる方法で実施され得ることが理解されるべきである。この発明開示における本発明の実施例は、それぞれの特徴、システム、物、材料、キット、及び／又は、ここにおいて説明された方法、に関するものである。加えて、こうした特徴、システム、物、材料、キット、及び／又は、方法の２つ以上のいかなる組合せは、こうした特徴、システム、物、材料、キット、及び／又は、方法がお互いに調和しない場合でも、本発明開示に係る発明の範囲内に含まれるものである。
【００５５】
ここにおいて定められ、使用される全ての定義は、辞書における定義、参照として包含される文書における定義、及び／又は、定義された用語の日常的な意味を支配するものである。
【００５６】
ここにおいて明細書および請求項において使用されるように、単数形式の冠詞である「一つの（“ａ”、“ａｎ”）」は、そうでないものと明確に指示されていなければ、「少なくとも一つの（“ａｔ  ｌｅａｓｔ”）」を意味するものと理解されるべきである。
【００５７】
ここにおいて、明細書および請求項で使用されているように、用語「及び/又は（“ａｎｄ／ｏｒ”）」は、そのように結合されたエレメントのうち「いずれか又は両方」を意味するものと理解されるべきである。つまり、エレメントが、あるケースでは結合的に示され、他のケースでは分離的に示される。「及び/又は」を用いて示された複数のエレメントは、同じように理解されるべきである。つまり、「一つまたはそれ以上の」エレメントは、そのように結合されている。他のエレメントは、「及び/又は」句によって特別に識別されたエレメント以外のものを任意的に示している。特別の識別されたこれらのエレメントと関連してもしなくてもである。従って、非限定的な例として、「含む（”ｃｏｍｐｒｉｓｉｎｇ”）といったオープンエンドな言葉と供に使用された場合に、「Ａ及び/又はＢ（”Ａ  ａｎｄ／ｏｒ  Ｂ”）」への言及は、一つの実施例においてはＡだけ（任意的にＢ以外のエレメントを含む）を参照し、別の実施例においてはＢだけ（任意的にＡ以外のエレメントを含む）を参照し、さらに別の実施例においてはＡとＢの両方（任意的に他のエレメントを含む）を参照する。等々。
【００５８】
ここにおいて、明細書および請求項で使用されているように、用語「少なくとも一つの（“ａｔ  ｌｅａｓｔ  ｏｎｅ”）」は、一つまたはそれ以上のエレメントのリストに関して、そのリストのエレメントのうちあらゆる一つまたはそれ以上のエレメントから選択された少なくとも一つのエレメントを意味するものと理解されるべきである。しかし、エレメントのリストに特別に挙げられた全てのエレメントのうちの少なくとも一つを必ずしも含む必要は無く、そのリストのエレメントのうちあらゆる組合せも排除するものではない。この定義は、また、用語「少なくとも一つの」に関するエレメントのリスト中に特別に特定されるエレメント以外のエレメントが存在することを許容する。特別に特定されたそうしたエレメントに関連するものでも、関連しないものでもである。
【００５９】
また、ここにおいて請求される一つ以上のステップまたは動作を含むあらゆる方法は、そうでないものと明確に指示されていなければ、本方法のステップまたは動作の順序が、説明されたステップまたは動作の順序に限定される必要がないことも理解されるべきである。
【００６０】
また、請求項において括弧の中に示されるあらゆる参照番号または他の文字がある場合、それらは単に便宜のために提供されるものであって、あらゆる方法においても特許請求の範囲を限定するように意図されたものではない。
【００６１】
請求項において、上記の明細書においても同様に、「含む」（”ｃｏｍｐｒｉｓｉｎｇ”、”ｉｎｃｌｕｄｉｎｇ”、”ｃａｒｒｙｉｎｇ”、”ｈａｖｉｎｇ”、”ｃｏｎｔａｉｎｉｎｇ”、”ｉｎｖｏｌｖｉｎｇ”、”ｈｏｌｄｉｎｇ”、”ｃｏｍｐｏｓｅｄ  ｏｆ”）等、および類似のものはオープンエンド（ｏｐｅｎ−ｅｎｄ）であるものと理解されるべきである。つまり、含んでいるがこれらに限定されるわけではない、ことを意味している。移行句「から成る」および「から基本的になる」だけが、それぞれに、クローズ（ｃｌｏｓｅｄ）またはセミクローズ（ｓｅｍｉ−ｃｌｏｓｅｄ）な移行句である。
【図１】
0006320938.tif 000002
【図２Ａ】
0006320938.tif 000003
【図２Ｂ】
0006320938.tif 000004
【図３】
0006320938.tif 000005
【図４Ａ】
0006320938.tif 000006
【図４Ｂ】
0006320938.tif 000007
【図４Ｃ】
0006320938.tif 000008
【図４Ｄ】
0006320938.tif 000009